(57)【要約】      （修正有）【訣題】使い勝手の良好なバックベルトを使用する履物を提供する。【解決手段】履物Ｆは、履き口がくるぶしより下にある履物Ｆであって、底部１と、この底部１に接合され、足の甲部を覆うアッパー２と、略Ｕ字状に形成した帯状部材のバックベルト３とを備え、バックベルト３の両端部をアッパー２の内側に回動自在に取り付け、足のかかとにバックベルト３を当接させて、前記足のかかとの動きに追随させるものである。【選択図】図１
0003156524.tif 000002
【実用新案登録請求の範囲】
【請求項１】
履き口がくるぶしより下にある履物であって、
底部と、
この底部に接合され、足の甲部を覆うアッパーと、
略Ｕ字状に形成した帯状部材のバックベルトとを備え、
前記バックベルトの両端部を前記アッパーの内側に回動自在に取り付け、
足のかかとに前記バックベルトを当接させて、前記足のかかとの動きに追随させる
ことを特徴とする履物。        
【請求項２】
バックベルトの表面より突出する突起部を前記バックベルトの外側に取り付けている    ことを特徴とする請求項１記載の履物。
【請求項３】
バックベルトは、アッパーに留め具で着脱自在に取り付けられ、
前記留め具は、前記バックベルトの足に当接する側に位置する合成樹脂製の第１の部材と前記アッパーの外側に位置する合成樹脂製の第２の部材とを有し、
前記第１の部材は、平坦なベースと、このベースより突出すると共に、前記ベースに対して略直交する方向に長い長手形状の突出部と、この突出部の先端に設けられ、前記突出部の長手方向に略直交する方向に張り出すと共に、前記突出部の長手方向に略直交する方向に長い長手形状の張出部とを有し、
前記第２の部材は、穴を有する本体と、この本体の穴を横断し、両端部を前記本体に接続される細幅の第１の横断部材と、この第１の横断部材に間隙を有して対向すると共に、前記本体の穴を横断し、両端部を前記本体に接続される細幅の第２の横断部材とを有し、
前記第１の横断部材と前記第２の横断部材とでなす間隙は、細長の間隙であり、
前記突出部及び前記張出部は、前記バックベルトに設けられた孔と前記アッパーに設けられた孔とを通り、
長手形状の前記張出部と前記細長の間隙とが略平行状態で、前記張出部は、前記細長の間隙を通り、前記張出部が前記細長の間隙を通った状態で、前記第１の部材と前記第２の部材を相対的に回動させることにより、前記張出部を前記第１の横断部材及び前記第２の横断部材に交差させ、前記張出部の両端を前記第１の横断部材及び前記第２の横断部材に係止させる
ことを特徴とする請求項１記載の履物。
【請求項４】
第１の部材のベースの前記ベースに対して直交する方向の厚みを第２の部材の本体の外周の厚みより小さくする
ことを特徴とする請求項３記載の履物。
【請求項５】
第１の横断部材及び第２の横断部材の外方へ臨む側に凸部を設ける
ことを特徴とする請求項３記載の履物。
【請求項６】
長手形状の張出部と細長の間隙とが略平行状態における前記張出部の長手方向に直交する方向の幅寸法が前記細長の間隙の幅寸法より大きい
ことを特徴とする請求項３記載の履物。
【請求項７】
バックベルトの表面より突出する突起部を前記バックベルトの外側に取り付け、
前記突起部は、前記バックベルトの足に当接する側である内側に位置する第１の部材と前記バックベルトの外側に位置する第２の部材とを有し、
前記第１の部材は、平坦なベースと、このベースより突出すると共に、前記ベースに対して略直交する方向に長い長手形状の突出部と、この突出部の先端に設けられ、前記突出部の長手方向に略直交する方向に張り出すと共に、前記突出部の長手方向に略直交する方向に長い長手形状の張出部とを有し、
前記第２の部材は、穴を有する本体と、この本体の穴を横断し、両端部を前記本体に接続される細幅の第１の横断部材と、この第１の横断部材に間隙を有して対向すると共に、前記本体の穴を横断し、両端部を前記本体に接続される細幅の第２の横断部材とを有し、
前記第１の横断部材と前記第２の横断部材とでなす間隙は、細長の間隙であり、
前記突出部及び前記張出部は、前記バックベルトに設けられた孔を通り、
長手形状の前記張出部と前記細長の間隙とが略平行状態で、前記張出部は、前記細長の間隙を通り、前記張出部が前記細長の間隙を通った状態で、前記第１の部材と前記第２の部材を相対的に回動させることにより、前記張出部を前記第１の横断部材及び前記第２の横断部材に交差させ、前記張出部の両端を前記第１の横断部材及び前記第２の横断部材に係止させ、
前記突起部を留め具と同一部材とする
ことを特徴とする請求項３記載の履物。
【請求項８】
バックベルトをアッパーに取り付ける留め具の少なくとも一つは、前記バックベルトに設けられた複数の孔から選定された一つの孔と、前記アッパーに設けられた複数の孔から選定された一つの孔とを利用して取り付けられる第１の形態、前記バックベルトに設けられた一つの孔と、前記アッパーに設けられた複数の孔から選定された一つの孔とを利用して取り付けられる 第２の形態の内、何れか一つの形態で、
前記バックベルトが前記アッパーに取り付けられている
ことを特徴とする請求項１記載の履物。
【考案の詳細な説明】
【技術分野】
【０００１】
本考案は、履物に係り、特に、使用勝手の良好な履物に関する。
【背景技術】
【０００２】
従来、履物として、かかとにバックベルトを当接して使用するものがある（例えば、特許文献参照）。
【先行技術文献】
【特許文献】
【０００３】
【特許文献１】特許第３１１３５３３号公報  図１
【考案の概要】
【考案が解決しようとする課題】
【０００４】
この履物にあっては、かかとのバックベルトの当接状態を手を使ってバックルによって締め付けることで足を固定し、足を履物から外すときは、手を使ってバックルを外しており、使用勝手が良好でないという問題点があった。
【０００５】
本考案は、上記の問題点を除去するようにした履物を提供することを目的とする。
【課題を解決するための手段】
【０００６】
請求項１記載の履物は、履き口がくるぶしより下にある履物であって、底部と、この底部に接合され、足の甲部を覆うアッパーと、略Ｕ字状に形成した帯状部材のバックベルトとを備え、前記バックベルトの両端部を前記アッパーの内側に回動自在に取り付け、足のかかとに前記バックベルトを当接させて、前記足のかかとの動きに追随させるものである。
【０００７】
また、請求項２記載の履物は、請求項１記載の履物において、バックベルトの表面より突出する突起部を前記バックベルトの外側に取り付けているものである。
【０００８】
また、請求項３記載の履物は、請求項１記載の履物において、バックベルトは、アッパーに留め具で着脱自在に取り付けられ、前記留め具は、前記バックベルトの足に当接する側に位置する第１の部材と前記アッパーの外側に位置する第２の部材とを有し、前記第１の部材は、平坦なベースと、このベースより突出すると共に、前記ベースに対して略直交する方向に長い長手形状の突出部と、この突出部の先端に設けられ、前記突出部の長手方向に略直交する方向に張り出すと共に、前記突出部の長手方向に略直交する方向に長い長手形状の張出部とを有し、前記第２の部材は、穴を有する本体と、この本体の穴を横断し、両端部を前記本体に接続される細幅の第１の横断部材と、この第１の横断部材に間隙を有して対向すると共に、前記本体の穴を横断し、両端部を前記本体に接続される細幅の第２の横断部材とを有し、前記第１の横断部材と前記第２の横断部材とでなす間隙は、細長の間隙であり、前記突出部及び前記張出部は、前記バックベルトに設けられた孔と前記アッパーに設けられた孔とを通り、長手形状の前記張出部と前記細長の間隙とが略平行状態で、前記張出部は、前記細長の間隙を通り、前記張出部が前記細長の間隙を通った状態で、前記第１の部材と前記第２の部材を相対的に回動させることにより、前記張出部を前記第１の横断部材及び前記第２の横断部材に交差させ、前記張出部の両端を前記第１の横断部材及び前記第２の横断部材に係止させるものである。
【０００９】
また、請求項４記載の履物は、請求項３記載の履物において、第１の部材のベースの前記ベースに対して直交する方向の厚みを第２の部材の本体の外周の厚みより小さくするものである。
【００１０】
また、請求項５記載の履物は、請求項４記載の履物において、第１の横断部材及び第２の横断部材の外方へ臨む側に凸部を設けるものである。
【００１１】
また、請求項６記載の履物は、請求項３記載の履物において、長手形状の張出部と細長の間隙とが略平行状態における前記張出部の長手方向に直交する方向の幅寸法が前記細長の間隙の幅寸法より大きいものである。
【００１２】
また、請求項７記載の履物は、請求項３記載の履物において、バックベルトの表面より突出する突起部を前記バックベルトの外側に取り付け、前記突起部は、前記バックベルトの足に当接する側である内側に位置する第１の部材と前記バックベルトの外側に位置する第２の部材とを有し、前記第１の部材は、平坦なベースと、このベースより突出すると共に、前記ベースに対して略直交する方向に長い長手形状の突出部と、この突出部の先端に設けられ、前記突出部の長手方向に略直交する方向に張り出すと共に、前記突出部の長手方向に略直交する方向に長い長手形状の張出部とを有し、前記第２の部材は、穴を有する本体と、この本体の穴を横断し、両端部を前記本体に接続される細幅の第１の横断部材と、この第１の横断部材に間隙を有して対向すると共に、前記本体の穴を横断し、両端部を前記本体に接続される細幅の第２の横断部材とを有し、前記第１の横断部材と前記第２の横断部材とでなす間隙は、細長の間隙であり、前記突出部及び前記張出部は、前記バックベルトに設けられた孔を通り、長手形状の前記張出部と前記細長の間隙とが略平行状態で、前記張出部は、前記細長の間隙を通り、前記張出部が前記細長の間隙を通った状態で、前記第１の部材と前記第２の部材を相対的に回動させることにより、前記張出部を前記第１の横断部材及び前記第２の横断部材に交差させ、前記張出部の両端を前記第１の横断部材及び前記第２の横断部材に係止させ、前記突起部を留め具と同一部材とするものである。
【００１３】
また、請求項８記載の履物は、請求項１記載の履物において、バックベルトをアッパーに取り付ける留め具の少なくとも一つは、前記バックベルトに設けられた複数の孔から選定された一つの孔と、前記アッパーに設けられた複数の孔から選定された一つの孔とを利用して取り付けられる第１の形態、前記バックベルトに設けられた一つの孔と、前記アッパーに設けられた複数の孔から選定された一つの孔とを利用して取り付けられる 第２の形態の内、何れか一つの形態で、前記バックベルトが前記アッパーに取り付けられているものである。
【考案の効果】
【００１４】
請求項１記載の履物によれば、バックベルトを略水平状態に回動して、履物を履けば履き易いと共に、バックベルトはアッパーの内側に取り付けられているため、足の置き場が小さくなり、該小さくなった分、足のかかとの周囲にバックベルトが当接し易く、当接すると、手を使わずに、つまり、該バックベルトを手で持ち上げなくても、足のかかとに当接してかかとの動きに追随し、かかとが履物から離間しても、バックベルトは回動して足のかかとに当接し、脱げにくい等使用勝手を向上させることができる効果を有する。  
【００１５】
また、請求項２記載の履物によれば、上述の請求項１記載の考案の効果に加え、バックベルトの表面より突出する突起部を前記バックベルトの外側に取り付けているため、履物から足を脱ぐ際、履いている他方の履物の先端等を接触させて、バックベルトを下方へ回動移動させて、履物から足を容易に脱ぐことができる。
【００１６】
また、請求項３記載の履物によれば、上述の請求項１記載の考案の効果に加え、バックベルトをアッパーに取り付ける留め具を第１の部材と第２の部材とで構成し、第１の部材の突出部及び第２の部材の張出部は、バックベルトに設けられた孔とアッパーに設けられた孔とを通り、長手形状の張出部と細長の間隙とが略平行状態で、張出部は、細長の間隙を通り、張出部が細長の間隙を通った状態で、張出部と第１の横断部材及び第２の横断部材とを交差するように、第１の部材と第２の部材を相対的に回動させることにより、第１の部材と第２の部材とが離間する突出部の長手方向の動きに対して、張出部の両端が第１の横断部材及び第２の横断部材に係止させて、第１の部材と第２の部材とが離脱するのを防ぎ、第１の部材と第２の部材とを離脱させるには、上述と逆に、張出部と第１の横断部材及び第２の横断部材との交差状態から、張出部と第１の横断部材及び第２の横断部材とが略平行状態になるように、第１の部材と 第２の部材とを相対的に回動させ、回動後、第１の部材と第２の部材とをベースに対して直交する方向に力を作用させて行うことができる。                                      
【００１７】
また、請求項４記載の履物によれば、上述の請求項３記載の考案の効果に加え、ベースの前記ベースに対して直交する方向の厚みを本体の外周の厚みより小さく、つまり、足に当接する側のベースの厚みを薄くして履き心地を阻害しないようにすると共に、指で操作する側の本体の外周の厚みを厚くして指での操作性を良くすることができる。
【００１８】
また、請求項５記載の履物によれば、上述の請求項３記載の考案の効果に加え、第１の横断部材及び第２の横断部材の外方へ臨む側に凸部を設けているため、凸部が張出部のストッパーとなり、張出部と第１の横断部材及び第２の横断部材の係止状態を保持することができる。
【００１９】
また、請求項６記載の履物によれば、上述の請求項３記載の考案の効果に加え、長手形状の張出部と細長の間隙とが略平行状態における前記張出部の長手方向に直交する方向の幅寸法が前記細長の間隙の幅寸法より大きいため、長手形状の張出部と細長の間隙とが略平行状態になっても、そのままでは、第１の部材と第２の部材は、離脱しないため、張出部と第１の横断部材及び第２の横断部材の係止状態を保持することができる。
【００２０】
また、請求項７記載の履物によれば、上述の請求項３記載の考案の効果に加え、バックベルトの表面より突出する突起部を前記バックベルトの外側に取り付けているため、履物から足を脱ぐ際、突起部に指、履いている他方の履物の先端等を接触させて、バックベルトを下方へ回動移動させて、履物から足を容易に脱ぐことができ、
しかも、突起部は、バックベルトをアッパーに取り付ける留め具と同じ構成であるため、使用中留め具が破損した場合、突起部を留め具に利用することができる。
【００２１】
また、請求項８記載の履物によれば、上述の請求項１記載の考案の効果に加え、バックベルトをアッパーに取り付ける留め具の少なくとも一つは、前記バックベルトに設けられた複数の孔から選定された一つの孔と、前記アッパーに設けられた複数の孔から選定された一つの孔とを利用して取り付けられる第１の形態、前記バックベルトに設けられた一つの孔と、前記アッパーに設けられた複数の孔から選定された一つの孔とを利用して取り付けられる 第２の形態の内、何れか一つの形態で、
前記バックベルトが前記アッパーに取り付けられているため、履く人の足の大きさに微調整をすることができる。
【図面の簡単な説明】
【００２２】
【図１】図１は、本考案の一実施例の履物に足を入れた状態の概略的側面図である。
【図２】図２は、図１の履物の使用状態を示す概略的側面図である。
【図３】図３は、図１の履物から足を外す状態を示す概略的側面図である。
【図４】図４は、図１の４−４線による概略的断面図である。
【図５】図５は、図１の履物に使用される留め具を分解して示す概略的一部分解斜視図である。
【図６】図６は、図５の６−６線による概略的断面図である。
【図７】図７は、図５の一部の概略的一部断面図である。
【図８】図８は、図４の一部を拡大して示す概略的一部拡大断面図である。
【図９】図９は、図８の概略的右側面図である。
【図１０】図１０は、図９の第２部材を時計回りに回動した状態の概略的一部拡大側面図である。
【図１１】図１１は、図１０の１１−１１線による概略的断面図である。
【図１２】図１２は、図１の一部を拡大して示す概略的一部拡大側面図である。
【図１３】図１３は、図１２の１３−１３線による概略的断面図である。
【図１４】図１４は、図７の第１の部材の概略的正面図である。
【図１５】図１５は、図１４の概略的平面図である。
【図１６】図１６は、図１４の概略的右側面図である。
【図１７】図１７は、図７の第２の部材の概略的正面図である。
【図１８】図１８は、図１７の１８−１８線による概略的断面図である。
【図１９】図１９は、図１７の１９−１９線による概略的断面図である。
【図２０】図２０は、図１の履物と異なる他の実施例の履物の概略的斜視図である。
【図２１】図２１は、図２０の２０−２０線による概略的断面図である。
【考案を実施するための形態】
【００２３】
本考案の一実施例の履物を図面を参照して説明する。
図１に示すＦは履物で、履物Ｆは、履き口がくるぶしより下にある、例えば、サンダル、短靴であって、底部１と、この底部１に接合され、足の甲部を覆うアッパー２と、バックベルト３とを備えている。
バックベルト３は、図５に示すように、帯状部材を略Ｕ字状に形成したもので、バックベルト３の両端部をアッパー２の内側に留め具４により回動自在に取り付け、足のかかとにバックベルト３を当接させて、足のかかとの動きに追随させるようにしている。
また、図１に示す５は、バックベルト３の表面より突出する突起部で、突起部５はバックベルト３の外側に取り付けられている。
【００２４】
履物Ｆを履く場合、バックベルト３を略水平状態に回動した状態で（図１、図５参照）、足をアッパー２内に入れれば良いため、履き易い。
しかも、バックベルト３はアッパー２の内側に取り付けられているため、足の置き場が小さくなり、該小さくなった分、足のかかとの周囲にバックベルト３が当接し易く、当接すると、手を使わずに、つまり、バックベルト３を手で持ち上げなくても、バックベルト３が足のかかとに当接して（図１参照）かかとの動きに追随し、かかとが履物Ｆから離間しても、バックベルト３は、図１の矢印方向に回動して（図２参照）足のかかとに当接し、脱げにくい等使用勝手を向上させることができる。
【００２５】
履物Ｆを脱ぐ場合、図３に示すように、履いている他方の履物Ｆ’の先端を突起部５に接触させて、バックベルト３を図２の状態から図３の状態に下方へ回動移動させて行うことができる。
【００２６】
次に、バックベルト３をアッパー２に着脱自在に取り付ける留め具４を図４、図７〜図１９を参照して、以下説明する。
留め具４は、バックベルト３の足に当接する側に位置する第１の部材４１とアッパー２の外側に位置する第２の部材４２とを有している。第１の部材４１及び 第２の部材４２は、共に、例えば、合成樹脂で成形される。
第１の部材４１は、図１２〜図１４に示すように、平坦なベース４１ａと、このベースベース４１ａより突出すると共に、ベース４１ａに対して略直交する方向に長い長手形状の突出部４１ｂと、この突出部４１ｂの先端に設けられ、突出部４１ｂの長手方向に略直交する方向に張り出すと共に、突出部４１ｂの長手方向に略直交する方向に長い長手形状の張出部４１ｃとを有している。
そして、長手形状の張出部４１ｃと細長の間隙とが略平行状態における（図８及び図９参照）張出部４１ｃの長手方向に直交する方向の幅寸法Ｍが細長の間隙の幅寸法ｍより大きくなっている。
【００２７】
また、第２の部材４２は、図７〜図１９に示すように、穴４２ａを有する本体４２ｂと、この本体４２ｂの穴４２ａを横断し、両端部を本体４２ｂに接続されるは細幅の第１の横断部材４２ｃと、この第１の横断部材４２ｃに間隙４２ｄを有して対向すると共に、本体４２ｂの穴４２ａを横断し、両端部を本体４２ｂに接続される細幅の第２の横断部材４２ｅとを有している。４２ｆは、目印で、例えば、小突起で形成する。なお、第１の横断部材４２ｃと第２の横断部材４２ｅとでなす間隙４２ｄは、細長の間隙である（図１７参照）。また、４２ｇは、第１の横断部材４２ｃの外方へ臨む側に設けた凸部で、４２ｈは、第２の横断部材４２ｅの外方へ臨む側に設けた凸部である。
そして、突出部４１ｂ及び張出部４１ｃは、バックベルト３に設けられた孔３ａとアッパー２に設けられた孔２ａとを通り、長手形状の張出部４１ｃと細長の間隙４２ｄとが略平行状態で、張出部４１ｃの長手方向に直交する方向の幅寸法Ｍが細長の間隙の幅寸法ｍを押し広げて、張出部４１ｃは細長の間隙４２ｄを通り（図７〜図８参照）、張出部４１ｃが細長の間隙４２ｄを通った状態（図８及び図９参照）で、張出部４１ｃと第１の横断部材４２ｃ及び第２の横断部材４２ｅとを交差するように、例えば、図９に示す矢印方向に、第１の部材４１と第２の部材４２を相対的に回動させる、望ましくは、第１の部材４１を指で押さえて固定し、他の指で第２の部材４２を回動させることにより、凸部４２ｇ、４２ｈを乗り越えて（図１０及び図１１参照）、張出部４１ｃの先端に臨む位置にある目印４２ｆ（図９参照）が、張出部４１ｃの先端に臨む位置に対して、約９０°の位置に目印４２ｆ（図１２参照）が移動する。その結果、第１の部材４１と第２の部材４２とが離間する突出部４１ｃの長手方向の動きに対して、張出部４１ｃの両端が第１の横断部材４２ｃ及び第２の横断部材４２ｅに係止させるようにする（図１２及び図１３参照）。
そして、ベース４１ａのベース４１に対して直交する方向の厚みｔを本体４２ｂの外周の厚みＴより小さくする（ Ｔ＞ｔ）。これは、足に当接する側のベース４１ａの厚みｔを薄くして履き心地を阻害しないようにすると共に、指で操作する側の本体４２ｂの外周の厚みＴを厚くして指での操作性を良くするためである。
【００２８】
なお、上述した実施例においては、 バックベルト３をアッパー２に取り付ける留め具４の少なくとも一つは、バックベルト３に設けられた一つの孔３ａと、アッパー２に設けられた複数の孔２ａ、２ａから選定された一つの孔２ａとを利用して取り付けられる （第１の形態）としたが、本願考案にあっては、これに限らず、図示しないが、バックベルト３に設けられた複数の孔３ａ、３ａから選定された一つの孔３ａと、アッパー２に設けられた複数の孔２ａ、２ａから選定された一つの孔２ａとを利用して取り付けられる（第２の形態）ものでも良い。
その結果、バックベルト３がアッパー２に取り付けられているため、履く人の足の大きさに微調整をすることができる。
【００２９】
また、上述した実施例においては、突起部５を留め具４と異なるもので形成したが、次に示す実施例（図２０及び図２１参照）においては、突起部５を留め具４で兼用することができる。これは、突起部５は、バックベルト３をアッパー２に取り付ける留め具４と同じ構成とすることにより、使用中、留め具４の一つが破損したり、なくした場合、突起部５を留め具４に利用しようとするものである。
突起部５（４）は、留め具４と同じ構成であるため、留め具４と同一部分に同一符号を付して以下説明する。
突起部５（４）は、バックベルト３の足に当接する側である内側に位置する第１の部材４１とバックベルト３の外側に位置する第２の部材４２とを有している。
第１の部材４１は、平坦なベース４１ａと、このベース４１ａより突出すると共に、ベース４１に対して略直交する方向に長い長手形状の突出部４１ｂと、この突出部４１ｂの先端に設けられ、突出部４１ｂの長手方向に略直交する方向に張り出すと共に、突出部４１ｂの長手方向に略直交する方向に長い長手形状の張出部４１ｃとを有している。
そして、第２の部材４２は、穴４２ａを有する本体４２ｂと、この本体４２ｂの穴４２ａを横断し、両端部を本体４２ｂに接続される細幅の第１の横断部材４２ｃと、この第１の横断部材４２ｃに間隙４２ｄを有して対向すると共に、本体４２ｂの穴４２ａを横断し、両端部を本体４２ｂに接続される細幅の第２の横断部材４２ｅとを有している。なお、第１の横断部材４２ｃと第２の横断部材４２ｅとでなす間隙４２ｄは、細長の間隙となっている。
そして、突出部４１ｂ及び張出部４１ｃは、バックベルト３に設けられた孔３ｂを通り、長手形状の張出部４１ｃと細長の間隙４２ｄとが略平行状態で、張出部４１ｃは、細長の間隙４２ｄを通り、張出部４１ｃが細長の間隙４２ｄを通った状態で、張出部４１ｃと第１の横断部材４２ｃ及び第２の横断部材４２ｅとを交差するように、第１の部材４１と第２の部材４２を相対的に回動させることにより、第１の部材４１と第２の部材４２とが離間する突出部４１ｃの長手方向の動きに対して、張出部４１ｃの両端が第１の横断部材４２ｃ及び第２の横断部材４２ｅに係止するようにしている。また、ベース４１ａのベース４１ａに対して直交する方向の厚みを本体４２ｂの外周の厚みＴより小さくしている。
【符号の説明】
【００３０】
Ｆ      履物
１      底部
２      アッパー
３      バックベルト
【図１】
0003156524.tif 000003
【図２】
0003156524.tif 000004
【図３】
0003156524.tif 000005
【図４】
0003156524.tif 000006
【図５】
0003156524.tif 000007
【図６】
0003156524.tif 000008
【図７】
0003156524.tif 000009
【図８】
0003156524.tif 000010
【図９】
0003156524.tif 000011
【図１０】
0003156524.tif 000012
【図１１】
0003156524.tif 000013
【図１２】
0003156524.tif 000014
【図１３】
0003156524.tif 000015
【図１４】
0003156524.tif 000016
【図１５】
0003156524.tif 000017
【図１６】
0003156524.tif 000018
【図１７】
0003156524.tif 000019
【図１８】
0003156524.tif 000020
【図１９】
0003156524.tif 000021
【図２０】
0003156524.tif 000022
【図２１】
0003156524.tif 000023